(57)【要約】      （修正有）【課題】車椅子を使用する要介助者を容易に入浴させることが可能であり、構成を簡素化してコストを低減することが可能な浴槽を提供する。【解決手段】浴槽１は、上面が開口する浴槽本体３と、浴槽本体を下側から支持する支持部４とを備えている。浴槽本体は、浴槽本体の左右方向の両側の側面を構成する平板状の２個の側面部３ａと、２個の側面部に繋がるとともに浴槽本体の底面を構成する曲板状の底部３ｄとを備えており、左右方向から見たときの底部の形状は、下側に膨らむ曲面状となっている。【選択図】図１
0003232677.tif 000002
【実用新案登録請求の範囲】
【請求項１】
上面が開口する浴槽本体と、前記浴槽本体を下側から支持する支持部とを備え、
前記浴槽本体は、前記浴槽本体の左右方向の両側の側面を構成する平板状の２個の側面部と、２個の前記側面部に繋がるとともに前記浴槽本体の底面を構成する曲板状の底部とを備え、
左右方向から見たときの前記底部の形状は、下側に膨らむ曲面状となっていることを特徴とする浴槽。
【請求項２】
前記浴槽本体は、２個の前記側面部および前記底部に繋がるとともに前記浴槽本体の前後方向の一方側の側面を構成する平板状の第２側面部を備えることを特徴とする請求項１記載の浴槽。
【請求項３】
前記浴槽本体の前上端部の縁に固定される取手を備え、
前記取手は、前記浴槽本体の前上端部の縁から斜め後ろ上側に向かって伸びていることを特徴とする請求項１または２記載の浴槽。
【請求項４】
前記支持部は、左右方向の外側のそれぞれから前記側面部の下端部に接触して前記浴槽本体の左右方向の移動を規制する２個の規制部材と、前記底部が載置される２個の支持部材とを備え、
２個の前記支持部材は、前後方向において間隔をあけた状態で配置され、
２個の前記支持部材のうちの一方の前記支持部材は、２個の前記規制部材に固定され、他方の前記支持部材は、２個の前記規制部材に着脱可能に取り付けられていることを特徴とする請求項１から３のいずれかに記載の浴槽。
【請求項５】
前記支持部は、キャスターを備えることを特徴とする請求項１から４のいずれかに記載の浴槽。
【考案の詳細な説明】
【技術分野】
【０００１】
本考案は、車椅子を使用する要介助者を車椅子に乗せたままの状態で入浴させるための浴槽に関する。
【背景技術】
【０００２】
従来、車椅子を使用する要介助者を車椅子に乗せたままの状態で入浴させるための浴槽が知られている（たとえば、特許文献１参照）。特許文献１に記載の浴槽は、浴槽本体と、浴槽本体の前面を開閉する開閉扉と、開閉扉を駆動するシリンダとを備えている。この浴槽では、開閉扉が開いている状態で、車椅子に乗っている要介助者を浴槽本体の中に入れ、開閉扉を閉めた後、浴槽の湯を溜めて要介助者を入浴させる。また、この浴槽では、入浴後に湯を抜いてから、開閉扉を開いて、車椅子に乗っている要介助者を浴槽本体の外に出す。
【先行技術文献】
【特許文献】
【０００３】
【特許文献１】特開２０００−１９７６７９号公報
【考案の概要】
【考案が解決しようとする課題】
【０００４】
特許文献１に記載の浴槽では、車椅子を使用する要介助者を車椅子に乗せたままの状態で容易に入浴させることができるため、車椅子を使用する要介助者を容易に入浴させることが可能である。一方で、この浴槽の場合、浴槽本体に対して開閉可能な開閉扉と、開閉扉を駆動するシリンダとが必要になるため、浴槽の構成が複雑になって浴槽のコストが高くなる。
【０００５】
そこで、本考案の課題は、車椅子を使用する要介助者を容易に入浴させることが可能であっても、構成を簡素化してコストを低減することが可能な浴槽を提供することにある。
【課題を解決するための手段】
【０００６】
上記の課題を解決するため、本考案の浴槽は、上面が開口する浴槽本体と、浴槽本体を下側から支持する支持部とを備え、浴槽本体は、浴槽本体の左右方向の両側の側面を構成する平板状の２個の側面部と、２個の側面部に繋がるとともに浴槽本体の底面を構成する曲板状の底部とを備え、左右方向から見たときの底部の形状は、下側に膨らむ曲面状となっていることを特徴とする。
【０００７】
本考案の浴槽では、浴槽本体の底面を構成する曲板状の底部は、左右方向から見たときに下側に膨らむ曲面状となっている。そのため、本考案では、浴槽本体の開口が、たとえば、後ろ側を向くように、支持部に対して浴槽本体を容易に転がすことが可能になる。また、本考案では、開口が後ろ側を向いている浴槽本体の中に、車椅子に乗っている要介助者を入れた後、浴槽本体の開口が上側を向くように支持部に対して浴槽本体を容易に転がすことが可能になるとともに、浴槽本体が転がるときに、底部の上面に沿って車椅子をスムーズに移動させることが可能になる。さらに、本考案では、開口が上側を向いている浴槽本体の中に湯を溜めて要介助者を入浴させた後に浴槽本体から湯を抜いた状態で、浴槽本体の開口が、たとえば、後ろ側を向くように、支持部に対して浴槽本体を容易に転がすことが可能になるとともに、浴槽本体が転がるときに、底部の上面に沿って車椅子をスムーズに移動させて、車椅子に乗っている要介助者を浴槽本体の中から出すことが可能になる。
【０００８】
したがって、本考案では、特許文献１に記載の浴槽のように開閉扉やシリンダが設けられていなくても、車椅子に乗っている要介助者を浴槽本体の中に容易に入れたり、浴槽本体の中から容易に出したりすることが可能になる。すなわち、本考案では、特許文献１に記載の浴槽のように開閉扉やシリンダが設けられていなくても、車椅子を使用する要介助者を車椅子に乗せたままの状態で容易に入浴させることが可能になる。その結果、本考案では、車椅子を使用する要介助者を車椅子に乗せたままの状態で容易に入浴させることが可能であっても、浴槽の構成を簡素化して浴槽のコストを低減することが可能になる。
【０００９】
本考案において、浴槽本体は、２個の側面部および底部に繋がるとともに浴槽本体の前後方向の一方側の側面を構成する平板状の第２側面部を備えることが好ましい。このように構成すると、平板状の第２側面部が浴槽本体の下端をなすように浴槽本体を転がして、浴槽本体の開口を前側または後ろ側に向けることが可能になる。したがって、車椅子に乗っている要介助者を浴槽本体に対して出し入れするときの、浴槽本体の状態を安定させることが可能になる。また、このように構成すると、車椅子に乗っている要介助者を浴槽本体に対して出し入れするときに、平板状の第２側面部の上面に沿って車椅子を移動させることが可能になるため、車椅子を容易に移動させることが可能になる。
【００１０】
本考案において、浴槽は、浴槽本体の前上端部の縁に固定される取手を備え、取手は、浴槽本体の前上端部の縁から斜め後ろ上側に向かって伸びていることが好ましい。このように構成すると、取手を利用して、浴槽本体の開口が後ろ側を向くように支持部に対して浴槽本体を転がすことが可能になるため、支持部に対して浴槽本体をより容易に転がすことが可能になる。
【００１１】
本考案において、支持部は、左右方向の外側のそれぞれから側面部の下端部に接触して浴槽本体の左右方向の移動を規制する２個の規制部材と、底部が載置される２個の支持部材とを備え、２個の支持部材は、前後方向において間隔をあけた状態で配置され、２個の支持部材のうちの一方の支持部材は、２個の規制部材に固定され、他方の支持部材は、２個の規制部材に着脱可能に取り付けられていることが好ましい。このように構成すると、他方の支持部材を取り外せば、浴槽本体の開口が、たとえば、後ろ側を向くように、支持部に対して浴槽本体を転がすことが可能になる。したがって、浴槽本体の底部が２個の支持部材に載置されていても、支持部に対して浴槽本体を容易に転がすことが可能になる。
【００１２】
本考案において、支持部は、キャスターを備えることが好ましい。このように構成すると、支持部と一緒に浴槽本体を容易に移動させることが可能になる。したがって、浴槽本体の下側を容易に清掃することが可能になる。
【考案の効果】
【００１３】
以上のように、本考案の浴槽では、車椅子を使用する要介助者を容易に入浴させることが可能であっても、浴槽の構成を簡素化して浴槽のコストを低減することが可能になる。
【図面の簡単な説明】
【００１４】
【図１】本考案の実施の形態にかかる浴槽の側面図である。
【図２】図１に示す浴槽の背面図である。
【図３】図１に示す浴槽本体の中に車椅子を入れるときの状態を説明するための図である。
【図４】図１に示す浴槽本体の中に車椅子を入れるときの状態を説明するための図である。
【考案を実施するための形態】
【００１５】
以下、図面を参照しながら、本考案の実施の形態を説明する。
【００１６】
（浴槽の構成）
図１は、本考案の実施の形態にかかる浴槽１の側面図である。図２は、図１に示す浴槽１の背面図である。
【００１７】
本形態の浴槽１は、車椅子２を使用する要介助者を車椅子２に乗せたままの状態で入浴させるために使用される。浴槽１は、車椅子２に乗っている要介助者が入る浴槽本体３と、浴槽本体３を下側から支持する支持部４と、浴槽本体３に固定される取手５とを備えている。本形態の浴槽１は、浴槽本体３と支持部４と取手５とから構成されている。以下の説明では、上下方向（鉛直方向）に直交する図１等のＸ方向を「前後方向」とし、上下方向と前後方向に直交する図１等のＹ方向を「左右方向」とする。また、前後方向の一方側である図１等のＸ１方向側を「前」側とし、その反対側である図１等のＸ２方向側を「後ろ」側とする。
【００１８】
浴槽本体３は、上面が開口する箱状に形成されている。浴槽本体３の深さは、車椅子２に乗っている状態で浴槽本体３の中に入った要介助者が胸や肩まで湯に浸かることが可能な深さとなっている。浴槽本体３は、ステンレス鋼板によって形成されている。たとえば、浴槽本体３は、２ｍｍ程度の厚さのステンレス鋼板によって形成されている。浴槽本体３は、浴槽本体３の左右方向の両側の側面を構成する平板状の２個の側面部３ａと、２個の側面部３ａに繋がるとともに浴槽本体３の前側の側面を構成する平板状の側面部３ｂと、２個の側面部３ａに繋がるとともに浴槽本体３の後ろ側の側面を構成する平板状の側面部３ｃと、２個の側面部３ａおよび側面部３ｂ、３ｃに繋がるとともに浴槽本体３の底面を構成する曲板状の底部３ｄとを備えている。本形態の側面部３ｃは、第２側面部である。
【００１９】
側面部３ａの厚さ方向は、左右方向と一致し、側面部３ｂ、３ｃの厚さ方向は、前後方向と一致している。底部３ｄは、平板状のステンレス鋼板を曲板状に変形させることによって形成されており、底部３ｄの板厚は一定になっている。左右方向から見たときの底部３ｄの形状は、下側に膨らむ曲面状となっている。具体的には、左右方向から見たときの底部３ｄの形状は、下側に向かって膨らむ円弧状となっている。側面部３ｂ、３ｃは、長方形の平板状に形成されている。側面部３ｂ、３ｃの上下方向の両端面は、上下方向に直交し、側面部３ｂ、３ｃの左右方向の両端面は、左右方向に直交している。側面部３ａの前後方向の両端面は、前後方向に直交し、側面部３ａの上端面は、上下方向に直交している。左右方向から見たときの側面部３ａの下端面の形状は、下側に向かって膨らむ円弧状となっている。
【００２０】
側面部３ａの前後方向の両端面は、側面部３ｂ、３ｃの左右方向の両端面に繋がっている。側面部３ａの下端面には、底部３ｄの左右方向の両端面が繋がり、側面部３ｂ、３ｃの下端面には、底部３ｄの前後方向の両端面が繋がっている。２個の側面部３ａと側面部３ｂ、３ｃと底部３ｄとは、互いに溶接されて固定されている。側面部３ｃの上端には、浴槽本体３の中に車椅子２を案内するための平板状のガイド部３ｅが繋がっている。ガイド部３ｅは、後ろ側に向かうにしたがって上側に向かうように傾斜している。
【００２１】
支持部４は、左右方向の外側のそれぞれから側面部３ａの下端部に接触して浴槽本体３の左右方向の移動を規制する２個の規制部材８と、浴槽本体３の底部３ｄが載置される２個の支持部材９、１０と、２個の規制部材８の後端部を繋ぐ連結部材１１と、４個のキャスター１２とを備えている。規制部材８は、たとえば、ステンレス製の角パイプであり、前後方向を長手方向とする直線状に形成されている。２個の規制部材８は、左右方向において間隔をあけた状態で配置されている。２個の規制部材８は、左右方向において浴槽本体３よりも外側に配置されている。
【００２２】
２個の支持部材９、１０は、前後方向において間隔をあけた状態で配置されている。本形態では、支持部材９が前側に配置され、支持部材１０が後ろ側に配置されている。支持部材９は、たとえば、ステンレス製の角パイプであり、左右方向を長手方向とする直線状に形成されている。支持部材９の左右方向の両端部は、２個の規制部材８の上面に固定されている。すなわち、支持部材９は、２個の規制部材８に固定されている。支持部材９は、たとえば、２個の規制部材８に溶接されている。
【００２３】
支持部材１０は、たとえば、ステンレス製の山形鋼であり、左右方向を長手方向とする直線状に形成されている。支持部材１０は、２個の規制部材８に着脱可能に取り付けられている。２個の規制部材８の上面には、支持部材１０を保持するステンレス製の保持部材１４が固定されている。保持部材１４には、支持部材１０が嵌め込まれるスリットが形成されている。保持部材１４のスリットには、山形鋼である支持部材１０の一辺が嵌め込まれている。浴槽本体３の底部３ｄは、支持部材９の後ろ上端の角部と、支持部材１０の前上端の角部とに接触している。底部３ｄの下面には、支持部材９の前上端の角部に接触して、支持部４に対する浴槽本体３の後ろ方向への移動を規制するステンレス製のストッパ部材１５が固定されている。
【００２４】
連結部材１１は、たとえば、ステンレス製の平鋼であり、左右方向を長手方向とする直線状に形成されている。連結部材１１の左右方向の両端部は、２個の規制部材８の後端部の下面に固定されている。キャスター１２は、支持部４の四隅に配置されている。規制部材８の前端部には、支持部４の前端側に配置されるキャスター１２を回転可能に保持するキャスター保持部材１６が固定され、規制部材８の後端部には、支持部４の後端側に配置されるキャスター１２を回転可能に保持するキャスター保持部材１７が固定されている。なお、支持部４の前端側に配置される２個のキャスター１２は、ストッパ付きのキャスターである。
【００２５】
取手５は、たとえば、ステンレス製の丸パイプを略Ｕ形状に折り曲げることで形成されている。取手５を構成する丸パイプの両端は、側面部３ｂの上端部に固定されている。すなわち、取手５は、浴槽本体３の前上端部の縁に固定されている。取手５は、浴槽本体３の前上端部の縁から斜め後ろ上側に向かって伸びている。
【００２６】
（浴槽の使用方法）
図３、図４は、図１に示す浴槽本体３の中に車椅子２を入れるときの状態を説明するための図である。なお、図４では、支持部４の図示を省略している。また、図３、図４では、ストッパ部材１５の図示を省略している。
【００２７】
浴槽１を使用するときには、車椅子２を使用する要介助者を介助する者（浴槽１の使用者）は、まず、湯が入っていない状態の浴槽本体３の後ろ側を若干、持ち上げて、支持部材１０を取り外す。その後、使用者は、浴槽本体３の開口が後ろ側を向くまで、支持部４に対して浴槽本体３を転がす（図３参照）。このときには、使用者は、取手５を掴んで浴槽本体３を転がす。この状態で、使用者は、車椅子２に乗っている要介助者を浴槽本体３の中に入れる。具体的には、使用者は、車椅子２に乗っている要介助者を浴槽本体３の側面部３ｃに載せる。このときには、車椅子２の車輪は、ガイド部３ｅの上面を通過して側面部３ｃに載る（図３参照）。
【００２８】
その後、使用者は、開口が上側を向くまで支持部４に対して浴槽本体３をゆっくりと転がす（図４参照）。このときには、使用者は、取手５を掴んで浴槽本体３を転がす。また、このときには、車椅子２は、浴槽本体３の底部３ｄの上面に沿って浴槽本体３の中で移動する。浴槽本体３の開口が上側を向くと、使用者は、支持部材１０を取り付ける。その状態で、使用者は、浴槽本体３の中に湯を溜めて要介助者を入浴させる。
【００２９】
要介助者の入浴が終わると、使用者は、浴槽本体３の中から湯を抜く。たとえば、使用者は、水中ポンプを使用して浴槽本体３の中から湯を抜く。ただし、浴槽本体３の底部３ｄに、湯を抜くための排水穴が形成されていて、この排水穴から湯を抜いても良い。その後、使用者は、浴槽本体３の開口が後ろ側を向くまで、支持部４に対して浴槽本体３をゆっくりと転がす。このときには、使用者は、取手５を掴んで浴槽本体３を転がす。使用者は、開口が後ろ側を向くまで浴槽本体３を転がした後、車椅子２に乗っている要介助者を浴槽本体３の中から出す。
【００３０】
（本形態の主な効果）
以上説明したように、本形態では、浴槽本体３の底部３ｄは、左右方向から見たときに下側に膨らむ曲面状となっている。そのため、本形態では、浴槽本体３の開口が後ろ側を向くように、支持部４に対して浴槽本体３を容易に転がすことが可能になる。また、本形態では、開口が後ろ側を向いている浴槽本体３の中に、車椅子２に乗っている要介助者を入れた後、浴槽本体３の開口が上側を向くように支持部４に対して浴槽本体３を容易に転がすことが可能になるとともに、浴槽本体３が転がるときに、底部３ｄの上面に沿って車椅子２をスムーズに移動させることが可能になる。
【００３１】
さらに、本形態では、開口が上側を向いている浴槽本体３の中に湯を溜めて要介助者を入浴させた後に浴槽本体３から湯を抜いた状態で、浴槽本体３の開口が後ろ側を向くように、支持部４に対して浴槽本体３を容易に転がすことが可能になるとともに、浴槽本体３が転がるときに、底部３ｄの上面に沿って車椅子２をスムーズに移動させて、車椅子２に乗っている要介助者を浴槽本体３の中から出すことが可能になる。
【００３２】
したがって、本形態では、上述の特許文献１に記載の浴槽のように開閉扉やシリンダが設けられていなくても、車椅子２に乗っている要介助者を浴槽本体３の中に容易に入れたり、浴槽本体３の中から容易に出したりすることが可能になる。すなわち、本形態では、開閉扉やシリンダが設けられていなくても、車椅子２を使用する要介助者を車椅子２に乗せたままの状態で容易に入浴させることが可能になる。その結果、本形態では、車椅子２を使用する要介助者を車椅子２に乗せたままの状態で容易に入浴させることが可能であっても、浴槽１の構成を簡素化して浴槽１のコストを低減することが可能になる。
【００３３】
本形態では、浴槽本体３の後ろ側の側面を構成する側面部３ｃは平板状に形成されており、開口が後ろ側を向くまで浴槽本体３を転がしたときに、平板状の側面部３ｃが浴槽本体３の下端となる。そのため、本形態では、車椅子２に乗っている要介助者を浴槽本体３に対して出し入れするときの、浴槽本体３の状態を安定させることが可能になる。また、本形態では、車椅子２に乗っている要介助者を浴槽本体３に対して出し入れするときに、平板状の側面部３ｃの上面に沿って車椅子２を移動させることが可能になるため、車椅子２を容易に移動させることが可能になる。
【００３４】
本形態では、浴槽本体３に取手５が取り付けられており、取手５を利用して、支持部４に対して浴槽本体３を転がすことが可能になっている。そのため、本形態では、支持部４に対して浴槽本体３をより容易に転がすことが可能になる。また、本形態では、支持部４がキャスター１２を備えているため、支持部４と一緒に浴槽本体３を容易に移動させることが可能になる。したがって、本形態では、浴槽本体３の下側を容易に清掃することが可能になる。
【００３５】
本形態では、支持部材１０が２個の規制部材８に着脱可能に取り付けられており、支持部材１０を取り外せば、浴槽本体３の開口が後ろ側を向くまで浴槽本体３を転がすことが可能になっている。そのため、本形態では、浴槽本体３の底部３ｄが２個の支持部材９、１０に載置されていても、支持部４に対して浴槽本体３を容易に転がすことが可能になる。
【００３６】
（他の実施の形態）
上述した形態では、側面部３ｂと側面部３ｃとが同形状の長方形状に形成されているが、側面部３ｂと側面部３ｃとが異なった形状であっても良い。たとえば、側面部３ｂの上下方向の幅が側面部３ｃの上下方向の幅より狭くなっていても良い。また、上述した形態において、浴槽本体３は、ガイド部３ｅを備えていなくても良い。また、上述した形態において、浴槽本体３は、側面部３ｂを備えていなくても良い。この場合には、たとえば、浴槽本体３は、２個の側面部３ａと側面部３ｃと底部３ｄとによって構成されている。また、浴槽本体３は、側面部３ｃを備えていなくても良い。この場合には、たとえば、浴槽本体３は、２個の側面部３ａと底部３ｄとによって構成されている。さらに、上述した形態において、支持部４は、キャスター１２を備えていなくても良い。また、上述した形態において、浴槽１は、取手５を備えていなくても良い。
【符号の説明】
【００３７】
１  浴槽
３  浴槽本体
３ａ  側面部
３ｃ  側面部（第２側面部）
３ｄ  底部
４  支持部
５  取手
８  規制部材
９、１０  支持部材
１２  キャスター
【図１】
0003232677.tif 000003
【図２】
0003232677.tif 000004
【図３】
0003232677.tif 000005
【図４】
0003232677.tif 000006